(57)【要約】【課題】観覧者に一層の驚きや不可思議さを与える棒状の手品具の提供【解決手段】先端部１０と本体部２０とは、双方が具備する磁石１６，２９同士の吸着によってのみならず、先端部１０の切断面から内部にかけて設けられた雌ネジ部１３と、本体ケース２２の他端に設けられたキャップ２５を軸方向に押圧することにより当該本体ケース２２の一端である切断面部分の内部から押し出される雄ネジ部２８との螺合によっても一体化することができるように構成されている。【選択図】  図１
2005021216.tif 000002
【特許請求の範囲】
【請求項１】
一端が尖った棒状体を当該一端側寄りで軸方向に垂直に切断することにより形成される前記尖った一端を有する先端部と、当該棒状体の他端を有する本体部とから成り、且つ前記先端部と前記本体部との各々の切断面部分に位置する磁石によって前記先端部と前記本体部とが一体化し前記棒状体を形成することができる手品具であって、
前記先端部は、一端が切断面であり且つ他端が尖形の中空円筒体であり、当該先端部の切断面から内部にかけて雌ネジ部が設けられ、且つ当該先端部の磁石は、当該先端部の切断面から内部に向かって軸方向に移動可能に備えられており、前記本体部は、中空円筒状の本体ケースの他端に設けられたキャップを軸方向に押圧することにより、当該本体ケースの一端である切断面部分の内部から前記雌ねじ部と螺合する雄ネジ部が押し出されるように構成され、且つ前記雄ねじ部には、前記先端部の磁石と吸着する磁石が埋設されており、
前記先端部と前記本体部とを各々の切断面部分を介して接触させた状態で、前記キャップを軸方向に押圧しながら回転させることにより、前記先端部と前記本体部とは、双方が具備する磁石同士の吸着によってのみならず、前記雌ネジ部と前記雄ネジ部とが螺合することによっても一体化することができるように構成されていることを特徴とする手品具。
【発明の詳細な説明】
【０００１】
【発明の属する技術分野】
本発明は、ペン等の形態を有する一端が尖った棒状の手品具に係り、特に、紙幣やカード等に当該手品具を貫通させても紙幣やカード等に穴が空くことがなく、また貫通した当該手品具をスライドさせても紙幣やカード等が切断することもないといった錯覚を観覧者に与える手品具に関するものである。
【０００２】
【従来の技術】
従来、例えばペン型の手品具であって、この手品具を紙幣やカード等に貫通させても紙幣やカード等に穴が空くことがなく、また貫通した当該手品具をスライドさせても紙幣やカード等が切断することもないといった錯覚を観覧者に与えることのできるものとして、例えば図１０に示すような構造の手品具が知られている。
【０００３】
この従来のペン型手品具は、図１０のように、実際に市場で販売されているペンの先端側の任意位置が切断されてペン先端部とペン本体部とに二分されている。そして、この各部の切断面部分には磁石が埋設されており、この双方の磁石の吸着によって、通常時はペン先端部とペン本体部とが切断面にて結合して一体となっている。
【０００４】
そして、上記構成の手品具を用い、手品を行う者（以下、操作者という）は次のような操作を行う。まず、前記磁石によって一体となっているペン型手品具を持って観覧者に見せ、このペン型手品具には仕掛けがないように思わせる。この時、切断面同士の結合部分を手で覆うようにしてこのペン型手品具を持ち、観覧者に当該結合部分が認識されないようにする。そして、例えば観覧者から紙幣を借りる等して紙幣を手にした後、この紙幣を観覧者に見せる等する動作の間に、紙幣を持つ手でペン先端部をペン本体部から外し、当該ペン先端部を手の中に隠し持ちながら紙幣を持つようにする。そしてもう片方の手で、ペン先端部が外れていることを観覧者に認識させないよう切断面付近を覆うように隠しながらペン本体部を持つ。
【０００５】
そして操作者は、片方の手で素速くペン本体部を紙幣に突き刺すような動作を行うと同時に、観覧者側から見て紙幣の裏で観覧者に見えないようにペン先端部を動かし、ペン先端部の切断面の磁石とペン本体部の切断面の磁石とを紙幣を介して吸着させる。このような動作を素速く行った後に一方の手で紙幣を、他方の手でペン本体部を把持すると、ペン型手品具と紙幣とは、図１１（ａ）のように紙幣がペン先端部とペン本体部によって挟まれた状態となるが、観覧者には上記一連の動作から恰もペン型手品具が紙幣を貫通したかのように見える。
【０００６】
続いて操作者は、図１１（ａ）のような状態から、例えば図１１（ｂ）の矢印方向にペン本体部を紙幣の紙面に沿ってスライドさせる。すると、紙幣を挟んでペン本体部とは反対側に位置するペン先端部も、磁力によってペン本体部との相対的な位置関係が殆ど変化すること無く当該ペン本体部の移動に合わせてスライドする。そして、最終的には紙幣の縁からペン先端部とペン本体部とが同時に外れ、ペン先端部とペン本体部とが磁石によって一体となり、図１１（ｂ）のように紙幣からペン型手品具が分離することとなる。この時、紙幣から分離したペン型手品具の切断面同士の結合部分を手で覆うようにしてこのペン型手品具を持ち、観覧者に当該結合部分が認識されないようにする。
【０００７】
以上のようなスライド動作が行われることにより、観覧者には、貫通していたはずのペンが上述のようにスライドしても紙幣は破れることなく、しかも紙幣は当初の破損していない状態のままであるといった驚きや不可思議さが与えられることとなる。
【０００８】
また、上記と同様の手品を行う際に用いる他のペン型手品具として、図１２のような構成のものもある。このペン型手品具のペン本体部は、中空円筒状の本体ケースと、一端側に磁石が埋設された円筒形の磁石埋設バーとから成り、図１２のように、前記本体ケースの内部に前記磁石埋設バーが、本体ケースの軸方向にスライドな状態に嵌め込まれている。そして通常時には、ペン先端部の切断面に埋設された磁石と前記磁石埋設バーの磁石とによって、ペン先端部とペン本体部とが吸着して一体となっている。また前記磁石埋設バーの長さは、前記本体ケースの長さと略同一である。
【０００９】
そして、通常時には図１２のようにその磁石により吸着している切断面部分がペン本体部に収納されているが、上述のように紙幣を持つ手でペン先端部をペン本体部から外す操作を行う際に、操作者が本体ケースの後端からケース外部に出ている磁石埋設バーの他端を親指等でペンの軸方向へ押圧することにより、磁石が埋設された磁石埋設バーの一端が本体ケースの内部から押し出され、図１３のように切断面部分が本体ケースの外部へ露出することとなる。よって、この状態で操作者はペン先端部とペン本体部とに分離する操作を実行することが可能となる。尚、一旦外したペン先端部は、当該ペン先端部と磁石埋設バーとを磁石によって吸着させた状態にしてからペン先端部を本体ケースへ嵌め込むことで、図１２のような通常時の状態に戻すことができる。
【００１０】
そして、図１２及び図１３のような構造のペン型手品具によれば、このペン型手品具に仕掛けがないように思わせるためにペン型手品具を持って観覧者に見せる際に、観覧者によって切断面部分の存在が外観上認識される虞がない。よって操作者は、たとえ操作が未熟でも、観覧者によって上記の仕掛けが認識されること無く、安心して上記のペン型手品具を持って観覧者に見せる操作を行うことができる。
【００１１】
尚、上記の各従来技術のような構造の手品具は、何れも公然実施されているものであり、本特許出願人は実施されている上記手品具を所有する、あるいは上記手品具を目撃してはいるが、これら従来技術等が記載されている先行技術文献については所有していないため、本願発明に関する先行技術文献については開示していない。
【００１２】
【発明が解決しようとする課題】
さて、上述のような手品では、ペン型手品具には仕掛けがないということを観覧者に強く認識させることによって、より一層の驚きや不可思議さを観覧者に与えることができる。よって、このペン型手品具には仕掛けがないという認識を観覧者に植え付ける場合、すなわち、このペン型手品具は市販されているペンと何ら変わりはないというような認識を観覧者に植え付ける場合、ペン型手品具を実際に観覧者に手渡し、ペン型手品具自体には仕掛けがなさそうだということを観覧者自身の触感で確認，認識してもらうことができれば、観覧者に大きな驚きや不可思議さを与える上で最も効果的であると言える。
【００１３】
しかしながら、上記のような各ペン型手品具では、観覧者に手渡して実際にペン型手品具を触ってもらうことで、操作者の意に反して観覧者によってペン型手品具がペン先端部とペン本体部とに分離してしまい、仕掛けが判明してしまう虞があった。よって操作者は、観覧者にそのペン型手品具を手渡して確認させることができなかったため、観覧者の中には、ペン型手品具に何らかの仕掛けがあるものとの疑念を抱いたまま手品を観覧する者もおり、いかに手際が鮮やかであっても、観覧者に一層の驚きや不可思議さを与えるという点で改善の余地が十分にあった。
【００１４】
そこで本発明の目的は、ペン等の形態を有する一端が尖った棒状の手品具に係り、特に、紙幣やカード等に当該手品具を貫通させても紙幣やカード等に穴が空くことがなく、また貫通した当該手品具をスライドさせても紙幣やカード等が切断することもないといった錯覚や不可思議さを観覧者に与えることができる手品具を提供することにある。
【００１５】
【課題を解決するための手段】
上記目的を達成するために、本発明の手品具は、一端が尖った棒状体を当該一端側寄りで軸方向に垂直に切断することにより形成される前記尖った一端を有する先端部と当該棒状体の他端を有する本体部とから成り、且つ前記先端部と本体部との各々の切断面部分に位置する磁石によって前記先端部と前記本体部とが一体化し前記棒状体を形成することができる手品具であって、前記先端部は、一端が切断面であり且つ他端が尖形の中空円筒体であり、当該先端部の切断面から内部にかけて雌ネジ部が設けられ、且つ当該先端部の磁石は、当該先端部の切断面から内部に向かって軸方向に移動可能に備えられており、また前記本体部は、中空円筒状の本体ケースの他端に設けられたキャップを軸方向に押圧することにより、当該本体ケースの一端である切断面部分の内部から前記雌ねじ部と螺合する雄ネジ部が押し出されるように構成され、且つ前記雄ねじ部には、前記先端部の磁石と吸着する磁石が埋設されており、前記先端部と前記本体部とを各々の切断面部分を介して接触させた状態で、前記キャップを軸方向に押圧しながら回転させることによって、前記先端部と前記本体部とが、双方が具備する磁石同士の吸着によってのみならず、雌ネジ部と雄ネジ部との螺合によっても一体化することができるように構成されている。
【００１６】
【発明の実施の形態】
以下、本発明の一実施形態に係る手品具について、図面を参照して説明する。
【００１７】
［手品具の構成］
まず、本実施形態に係る手品具１の構成を図１を参照して説明する。本実施形態に係る手品具１は図１に示すようなペン型のものとし、従来と同様にペン先端部１０とペン本体部２０とに分離可能な構造となっている。以下、本実施形態に係る手品具１のペン先端部１０及びペン本体部２０の構造について説明する。
【００１８】
［ペン先端部］
本実施形態のペン先端部１０は、図２のように、ペン芯１１ａを保持する中空の略円錐台形状の尖端部たる芯保持部１１と、中空円筒状のグリップ部１２とから成る。そして、このグリップ部１２の外周面には、複数本のすべり止め溝１２ａが、図１のように同心円状に且つ等間隔に形成されている。
【００１９】
また、このグリップ部１２の内面には、切断面から当該グリップ部１２の内側に掛けて、後述のペン本体部２０の雄ネジ部２８と螺合する雌ネジ部１３が設けられている。そして、前記グリップ部１２の内部には、当該グリップ部１２と前記芯保持部１１との接合部分から雌ネジ部１３の端部に形成された段差１４までの間を、このグリップ部１２の軸方向に移動可能な磁石保持体１５が備えられている。
【００２０】
ここで前記磁石保持体１５は、図３のように、磁石１６の表面が露出した状態で当該磁石１６が埋設されている円柱形状の磁石埋設部１５ａと、当該磁石埋設部１５ａよりも大きな直径の円断面を有する円板形状のストッパー部１５ｂとから成る。尚、本実施形態では、前記ストッパー部１５ｂを円板形状としているが、磁石保持体１５が上記のように移動可能な状態を保つことができるのであれば、このストッパー部１５ｂの形状は円断面に限らず、例えば四角形断面や六角形断面の板状であってもよく、任意断面形状に設定することが可能である。
【００２１】
そして、この磁石保持体１５がペン芯側に移動した状態では後述の如くペン本体部２０の雄ネジ部２８とペン先端部１０の雌ネジ部１３とが螺合可能となり、また、この磁石保持体１５が切断面側に移動して当該磁石保持体１５のストッパー部１５ｂと前記段差１４とが接触した状態では、露出した磁石１６の表面と切断面とが同一平面上に存在するようになり、後述のようにペン本体部２０の雄ネジ部２８に埋設された磁石２９と当該磁石保持体１５の磁石１６とが吸着可能となるように、この磁石保持体１５はグリップ部１２の内部に備えられている。
【００２２】
［ペン本体部］
本実施形態のペン本体部２０は、中空円筒状のグリップケース２１と、中空円筒状の本体ケース２２と、前記グリップケース２１及び本体ケース２２を連結させ一体化させるための本体組立用軸部材２３と、前記本体組立用軸部材２３と前記本体ケース２２内のバネ２６とを係合させるための係合用部材２４と、前記係合用部材２４の後端に取り付けるキャップ２５と、を有するものである。以下、各構成要素２１〜２５について図４を参照して説明する。尚、本実施形態では、図４中の右側を後方とし、左側を前方とする。
【００２３】
［グリップケース］
前記グリップケース２１は中空円筒状であり、その外周面には、前記ペン先端部１０のグリップ部１２と同様に、複数本のすべり止め溝２１ａが、図４のように同心円状に且つ等間隔に形成されている。尚、ペン先端部１０のグリップ部１２におけるすべり止め溝１２ａの間隔と、当該グリップケース２１におけるすべり止め溝２１ａの間隔とは同一であり、且つ、後述のようにペン先端部１０とペン本体部２０とを連結させて一体化させた状態においても、ペン先端部１０のグリップ部１２におけるすべり止め溝１２ａと当該グリップケース２１におけるすべり止め溝２１ａとが、等間隔に配列した状態となるように各すべり止め溝１２ａ，２１ａは形成されている。
【００２４】
以上のように各すべり止め溝１２ａ，２１ａが形成されることにより、ペン先端部１０とペン本体部２０とを一体化させた状態において、ペン先端部１０とペン本体部２０との境界がすべり止め溝１２ａ，２１ａによって認識し難くなるため、切断面の存在を観覧者に認識される虞がなくなる。
【００２５】
［本体ケース］
前記本体ケース２２は中空円筒状であり、この本体ケース２２の後端部（図４中の右側端部）には、バネ２６を収納するためのバネ収納部２２ａが設けられている。このバネ収納部２２ａは円筒形状の空間であり、当該本体ケース２２の前端部（図４中の左側端部）からケース２２内に形成された円筒形状の空間である軸部材挿通部２２ｂと連通している。また、前記バネ収納部２２ａの断面の径は前記軸部材挿通部２２ｂの断面の径よりも大きく設定されているため、前記バネ収納部２２ａと前記軸部材挿通部２２ｂとの連通部分には段差２７が円形状に形成されている。よって、前記本体ケース２２のバネ収納部２２ａにおける内径と略同一の直径を有するバネ２６を当該バネ収納部２２ａ内に収納した際、この段差２７によりバネ２６の収納位置が固定されるようになる。尚、この本体ケース２２の外径と前記グリップケース２１の外径とは同一であり、且つこの本体ケース２２の軸部材挿通部２２ｂにおける内径と前記グリップケース２１の内径とは同一である。
【００２６】
［本体組立用軸部材］
前記本体組立用軸部材２３の前端部の外周面には、前記ペン先端部１０の雌ネジ部１３と螺合する雄ネジ部２８が形成されている。そして雄ネジ部２８の前端面には、ペン先端部１０の磁石保持体１５の磁石１６と吸着する磁石２９が埋設されている。尚、この磁石２９の表面は雄ネジ部２８の前端面と同一平面上に露出した状態となっている。
【００２７】
また、雄ネジ部２８の後方の外周面には第一ストッパー３０が設けられ、さらにこの第一ストッパー３０より間隔を空けて第二ストッパー３１が設けられている。この第一ストッパー３０及び第二ストッパー３１は、何れも前記本体組立用軸部材２３の外周を一周するように円形状に突出して成るものであり、第一ストッパー３０及び第二ストッパー３１の外径は同一である。
【００２８】
また、前記第一ストッパー３０と第二ストッパー３１との間には、前記グリップケース２１及び本体ケース２２を外嵌するためのケース外嵌部材３２が、前記第一ストッパー３０と第二ストッパー３１との間を当該本体組立用軸部材２３の軸方向にスライド可能であり且つこの軸を中心に回転可能な状態で備えられている。このケース外嵌部材３２は、図５のように、当該ケース外嵌部材３２の外周を一周するように円形状に突出して成る外嵌ストッパー３２ａを設けることにより、グリップケース２１を外嵌するグリップケース外嵌部３２ｂと本体ケース２２を外嵌する本体ケース外嵌部３２ｃとが形成されている。ここで、前記外嵌ストッパー３２ａの外径と、前記グリップケース２１及び本体ケース２２の外径とは同一である。以上のような構成により、当該ケース外嵌部材３２に前記グリップケース２１と前記本体ケース２２とを外嵌して一体化させた際に、前記グリップケース２１、外嵌ストッパー３２ａ及び本体ケース２２の外周面が段差のない連続面を形成し、グリップケース２１と本体ケース２２とが分離する構造であることが認識し難くなる。
【００２９】
さらに、前記本体組立用軸部材２３の後端部の外周面には、後述の係合用部材２４を当該本体組立用軸部材２３の後端部に取り付けるための嵌合突起３３が、図４のように当該本体組立用軸部材２３に関して対称的な位置に２個設けられている。さらにまた、前記本体組立用軸部材２３の後端部は、例えば四角形や六角形等の角形断面となるように形成されている。尚、本実施形態では、四角形断面となるように形成されている。
【００３０】
［係合用部材］
前記係合用部材２４は中空円筒形状であり、図６のように、前記本体組立用軸部材２３を当該係合用部材２４の挿通孔２４ｂより挿通させる際に前記嵌合突起３３が通過するための２本の挿通溝２４ａが、当該係合用部材２４の軸に関して対称的に設けられている。また、図６のように、当該係合用部材２４の後端側の内面上であり且つ２本の前記挿通溝２４ａの間の中間地点（前記挿通溝２４ａから当該係合用部材２４の軸に関して９０°ずれた位置）には、前記本体組立用軸部材２３の嵌合突起３３と嵌合するための２本の嵌合溝２４ｃが、当該係合用部材２４の軸に関して対称的に設けられている。
【００３１】
［キャップ］
前記キャップ２５は、前記係合用部材２４及び前記角形の本体組立用軸部材２３の後端部に外嵌することができる構成となっている。よって、当該キャップ２５を前記係合用部材２４に外嵌することにより、前記嵌合突起３３と前記係合用部材２４との嵌合箇所を覆い隠すことができる。また、前記キャップ２５と前記本体組立用軸部材２３の後端部とを外嵌させることで、前記キャップを指で回転させることにより、前記本体組立用軸部材２３の後端部を介して前記本体組立用軸部材２３の先端部に形成されている雄ネジ部２８が、前記キャップの回転に同期して回転可能となる。
【００３２】
［ペン本体部の組立手順］
さて、本実施形態におけるペン本体部２０は、以上のような各構成要素２１〜２５を組み立てることにより完成されることとなる。そこで、上記の各構成要素２１〜２５によるペン本体部２０の組み立て手順について以下説明する。
【００３３】
まず、前記グリップケース２１に前記本体組立用軸部材２３を前端側（雄ネジ部側）から挿通させ、このグリップケース２１を、当該グリップケース２１が外嵌ストッパー３２ａに密着するようにケース外嵌部材３２のグリップケース外嵌部３２ｂに外嵌させる。次に、前記本体ケース２２にこの本体組立用軸部材２３を後端側（嵌合突起側）から挿通させ、この本体ケース２２を、当該本体ケース２２が外嵌ストッパー３２ａに密着するようにケース外嵌部材３２の本体ケース外嵌部３２ｃに外嵌させる。以上のように組み立てることで、前記グリップケース２１、外嵌ストッパー３２ａ及び本体ケース２２の外周面が段差のない連続面を形成するため、観覧者はグリップケース２１と本体ケース２２とが分離する構造であることを容易に認識し難くなる。
【００３４】
ここで、上述のようにして本体ケース２２をケース外嵌部材３２の本体ケース外嵌部３２ｃに外嵌させると、本体組立用軸部材２３の後端部分は、本体ケース２２におけるバネ収納部２２ａ内のバネ２６の内側を挿通して本体ケース２２の後端部から外部に飛び出した状態となっている。そこで、この状態において、前記係合用部材２４の嵌合溝２４ｃに本体組立用軸部材２３の後端部分の嵌合突起３３を嵌め込む作業を行う。この係合用部材２４と本体組立用軸部材２３との嵌め込み作業について、図７を参照して具体的に説明する。
【００３５】
まず、図７（ａ）のように本体組立用軸部材２３の嵌合突起３３と係合用部材２４の前端面の挿通溝２４ａとを位置合わせし、当該係合用部材２４を本体ケース２２のバネ収納部２２ａに押し込む。すると、２個の嵌合突起３３はそれぞれ係合用部材２４の一対の挿通溝２４ａを通過するため、図７（ｂ）のように本体組立用軸部材２３の後端部は係合用部材２４の後端面から飛び出した状態になり、またバネ収納部２２ａ内のバネ２６は、押し込まれた係合用部材２４によって収縮した状態となる。次に、上記状態において、本体組立用軸部材２３の後端部を軸に対して９０°回転させると、前記嵌合突起３３と係合用部材２４の嵌合溝２４ｃとが位置合わせされた状態となる。こうして、係合用部材２４に加えていた押し込む力を解放すると、収縮していたバネ２６の復元力によって係合用部材２４は後端方向に押され、その結果、図７（ｃ）のように前記嵌合突起３３が係合用部材２４の嵌合溝２４ｃに嵌合されることとなる。以上のようにして、グリップケース２１，本体ケース２２及び係合用部材２４が本体組立用軸部材２３によって組み立てられる。
【００３６】
そして最後に、前記係合用部材２４の後端側にキャップ２５を被せることにより、図８のような状態となり、本実施形態におけるペン本体部２０は完成となる。
【００３７】
［ペン先端部とペン本体部との結合手順］
さて、以上のようにして本実施形態に係る手品具のペン先端部１０とペン本体部２０とは構成されているが、このペン先端部１０とペン本体部２０とを一体化させて一本のペン型手品具１とするには、まずペン本体部２０のキャップ２５を親指などで軸方向に押圧し、図９のようにペン本体部２０の前端部にて雄ネジ部２８がグリップケース２１の外部に押し出される状態とした後、この図９の状態のペン本体部２０の雄ネジ部２８と前記ペン先端部１０の雌ネジ部１３とを螺合させる。このようにして、ペン先端部１０とペン本体部２０とを一体化させることができる。
【００３８】
［手品の操作手順］
次に、上述のような構成の手品具１を用いた手品の操作手順の一例を、以下説明する。
【００３９】
まず、従来と同様に一体となっているペン型手品具１を持って観覧者に見せ、このペン型手品具１には仕掛けがないように思わせる。この時、このペン型手品具１を観覧者に手渡しても、ペン先端部１０とペン本体部２０とは螺合しているため、ペン先端部１０が観覧者によってペン本体部２０から取り外される虞はない。また、上述のようにグリップケース２１のすべり止め溝２１ａが形成されることにより、ペン先端部１０とペン本体部２０との境界がすべり止め溝１２ａ，２１ａによって認識し難いため、切断面の存在を観覧者に認識される虞もない。
こうして観覧者に、このペン型手品具１自体には仕掛けがなさそうだということを観覧者自身の触感で確認させる。
【００４０】
そして、例えば観覧者から紙幣を借りる等して紙幣を手にした後、観覧者から見てこの紙幣の裏側でペン本体部２０と螺合するペン先端部１０をペン本体部２０から外し、当該ペン先端部１０を手の中に隠し持ちながら紙幣を持つようにする。そしてもう片方の手で、ペン先端部１０が外れていることを観覧者に認識させないよう切断面付近を覆うように隠しながらペン本体部２０を持つ。この時、分離したペン本体部２０は、本体ケース２２内のバネ２６の復元力により、図８のように、雄ネジ部２８がグリップケース２１内に収納され、ペン本体部２０の前端が平面状になっている。
【００４１】
そして操作者は、片方の手で素速くペン本体部２０を紙幣に突き刺すような動作を行うと同時に、観覧者側から見て紙幣の裏で観覧者に見えないようにペン先端部１０を動かし、ペン先端部１０の切断面の磁石１６とペン本体部２０の切断面の磁石２９とを紙幣を介して吸着させる。この時、ペン先端部１０における磁石保持体１５は、ペン本体部２０の磁石２９からの吸着力により切断面側に移動し、磁石保持体１５に埋設された磁石１６の露出面はペン先端部１０の切断面と同一平面上に位置した状態となっている。こうして上記動作を素速く行った後に一方の手で紙幣を、他方の手でペン本体部２０を把持すると、ペン型手品具１と紙幣とは、図１１（ａ）と同様に紙幣がペン先端部１０とペン本体部２０によって挟まれた状態となるが、観覧者には上記一連の動作から恰もペン型手品具１が紙幣を貫通したかのように見える。
【００４２】
続いて操作者が、図１１（ａ）と同様の状態からペン本体部２０を紙幣の紙面に沿ってスライドさせると、ペン先端部１０とペン本体部２０とが従来と同様に同時にスライドする。そして、最終的には紙幣の縁からペン先端部１０とペン本体部２０とが一緒に外れ、ペン先端部１０とペン本体部２０とが双方の磁石１６，２９によって一体となり、図１１（ｂ）と同様に紙幣からペン型手品具１が分離することとなる。
【００４３】
以上のようなスライド動作が行われることにより、観覧者には、貫通していたはずのペンが上述のようにスライドしても紙幣は破れることなく、しかも紙幣は当初の破損していない状態のままであるといった驚きや不可思議さが与えられることとなる。
【００４４】
また、この手品の操作を素速く自然に行うことのできる上級者は、紙幣からペン型手品具１を分離した後、例えば紙幣を観覧者に手渡して当該紙幣を確認してもらっている間に、さりげなくキャップ２５を押圧してペン本体部２０を図９の状態としながら当該キャップを回転させてペン先端部１０をペン本体部２０に螺合させ、ペン型手品具１を当初の一体化した状態に戻す動作を行っても良い。このような動作を行うことで、観覧者に紙幣を確認してもらった後に、当初の一体化したペン型手品具１をも観覧者に手渡して当該ペン型手品具１を確認してもらうことができるため、観覧者には、やはり当該ペン型手品具１には仕掛けがなかったという印象をより一層強く与えることができ、この手品により与えられる驚きや不可思議さをさらに増幅させることができる。
【００４５】
【発明の効果】
以上に述べたように、本発明の手品具によれば、紙幣やカード等に当該手品具を貫通させても紙幣やカード等に穴が空くことがなく、また貫通した当該手品具をスライドさせても紙幣やカード等が切断することもないといった錯覚や不可思議さを観覧者に与えることができる。しかも、安心してこのペン型手品具を実際に観覧者に手渡し、ペン型手品具自体には仕掛けがなさそうだということを観覧者自身の触感で確認，認識してもらうことができるため、従来観覧者に与えていた以上に、より大きな驚きや不可思議さを与えることができる。
【図面の簡単な説明】
【図１】本発明の一実施形態に係る手品具の全体構成を説明するための図である。
【図２】本実施形態の手品具の先端部の内部構造を説明するための図である。
【図３】図２の磁石保持体の構成を説明するための図である。
【図４】本実施形態の手品具の本体部の各構成要素を説明するための図である。
【図５】図４におけるケース外嵌部材の構造を説明するための拡大斜視図である。
【図６】図４における係合用部材の構造を説明するための図であり、（ａ）は前端側の断面、（ｂ）は側面から見た断面、（ｃ）は後端側の断面を示す図である。
【図７】図４における本体組立用軸部材と係合用部材とを組み合わせる手順を説明するための図である。
【図８】図４の各構成要素を組み立てた後の本体部の内部構造の状態を説明するための図である。
【図９】図８の状態からキャップを軸方向に押圧した際の本体部の内部構造の状態を説明するための図である。
【図１０】従来の手品具の構造を説明するための図である。
【図１１】従来の手品具を用いて手品を行う際の操作を説明するための図である。
【図１２】図１０とは異なる構造の従来の手品具の通常時の内部構造の状態を説明するための図である。
【図１３】図１２の手品具を先端部と本体部とに分離する操作を行う際の内部構造の状態を説明するための図である。
【符号の説明】
１…手品具（ペン型手品具）、１０…ペン先端部、１１…芯保持部、１１ａ…ペン芯、１２…グリップ部、１２ａ…すべり止め溝、１３…雌ネジ部、１４…段差、１５…磁石保持体、１５ａ…磁石埋設部、１５ｂ…ストッパー部、１６…磁石、２０…ペン本体部、２１…グリップケース、２１ａ…すべり止め溝、２２…本体ケース、２２ａ…バネ収納部、２２ｂ…軸部材挿通部、２３…本体組立用軸部材、２４…係合用部材、２４ａ…挿通溝、２４ｂ…挿通孔、２４ｃ…嵌合溝、２５…キャップ、２６…バネ、２７…段差、２８…雄ネジ部、２９…磁石、３０…第一ストッパー、３１…第二ストッパー、３２…ケース外嵌部材、３２ａ…外嵌ストッパー、３２ｂ…グリップケース外嵌部、３２ｃ…本体ケース外嵌部、３３…嵌合突起。
【図１】
2005021216.tif 000003
【図２】
2005021216.tif 000004
【図３】
2005021216.tif 000005
【図４】
2005021216.tif 000006
【図５】
2005021216.tif 000007
【図６】
2005021216.tif 000008
【図７】
2005021216.tif 000009
【図８】
2005021216.tif 000010
【図９】
2005021216.tif 000011
【図１０】
2005021216.tif 000012
【図１１】
2005021216.tif 000013
【図１２】
2005021216.tif 000014
【図１３】
2005021216.tif 000015